(57)【要約】【課題】光源の駆動熱を、連なったハウジングパネルで形成されるハウジングへ逃がせるバックライトユニット、およびそれを含む液晶表示装置を提供する。【解決手段】ＬＥＤ２１と、ＬＥＤ２１を収容する裏ハウジングＨＧ２と、を含むバックライトユニット５９では、裏ハウジングＨＧ２は、ハウジングパネル１１が連なることで形成されており、その連なるハウジングパネル１１同士の間には、伝熱部材１５が介在する。【選択図】図１
2010009757.tif 000002
【特許請求の範囲】
【請求項１】
光源と、上記光源を収容するハウジングユニットと、を含むバックライトユニットにあって、
上記ハウジングユニットは、ハウジングパネルが連なることで形成されており、
連なる上記ハウジングパネル同士の間には、伝熱部材が介在するバックライトユニット。
【請求項２】
上記ハウジングユニットにて、少なくとも一方の上記ハウジングパネルは、上記伝熱部材を囲む囲み部を含んでおり、
上記囲み部に含まれる一片が、上記伝熱部材に触れる請求項１に記載のバックライトユニット。
【請求項３】
上記ハウジングユニットにて、両方の上記ハウジングパネルは、上記伝熱部材を囲む囲み部を含んでおり、
上記伝熱部材の全周囲が、上記ハウジング毎の上記囲み部に触れる請求項２に記載のバックライトユニット。
【請求項４】
上記囲み部は、上記ハウジングパネルの折り曲げ、または湾曲で生じる請求項２または３の記載のバックライトユニット。
【請求項５】
上記伝熱部材がフィンを含む請求項１〜４のいずれか１項に記載のバックライトユニット。
【請求項６】
請求項１〜５のいずれか１項に記載のバックライトユニットと、
上記バックライトユニットからの光を受光する液晶表示パネルと、
を含む液晶表示装置。
【発明の詳細な説明】
【技術分野】
【０００１】
本発明は、液晶表示パネルのような非発光型表示パネルに光を供給するバックライトユニット、およびそれを含む液晶表示装置に関する。
【背景技術】
【０００２】
従来から液晶表示装置の液晶表示パネル（非発光型表示パネル）に光を供給するバックライトユニットは種々開発されている。そして、バックライトユニットでは、光を発する光源｛例えば、蛍光管およびＬＥＤ（Light Emitting Diode）｝と、その光源からの光を受光し、内部で多重反射させて面状の光に変換する導光体とを含むことが多い。
【０００３】
ただし、昨今では、液晶表示装置に対して、薄型化かつ大画面化が図られている。そのために、バックライトユニットも薄型化かつ大画面化（広面積化）せざるをえない。そして、このような広面積なバックライトユニットの製造にて、バックライトユニットに含まれる導光体が１枚状であると、その導光体の取り扱いが難しい（例えば、導光体の持ち運びが不便である）。また、同様に、導光体を収容するハウジングが１枚状であっても、そのハウジングの取り扱いも難しい。
【０００４】
そこで、取り扱い性の向上を図るべく、特許文献１に記載されるバックライトユニットは、狭面積の複数の導光体を連ねることで、広面積の導光体を完成させる。また、このような導光体と同じように、ハウジングも、分割された一片（ハウジングパネルと称する）を連ねることで完成してもよい。
【特許文献１】特開２００７−２２０４０１号公報
【発明の開示】
【発明が解決しようとする課題】
【０００５】
しかしながら、ハウジングがハウジングパネルの連なりで完成する場合（このようなハウジングをハウジングユニットと称する）、以下のような問題が生じる。例えば、ＬＥＤのような光源の駆動熱がハウジングパネルに伝わった場合、ハウジングパネル同士が接触して連なっていないと、１個のハウジングパネルに熱が過剰に留まる。そのため、ＬＥＤおよびＬＥＤを実装している実装基板が熱で劣化する。その上、連なるハウジングパネル同士において、各ハウジングパネルに対応するＬＥＤの劣化度合いが異なってくると、ＬＥＤ間で輝度差が生じる。その結果、バックライトユニットの光に輝度ムラが生じる。
【０００６】
本発明は、上記の状況を鑑みてなされたものである。そして、本発明の目的は、光源の駆動熱を、連なったハウジングパネルで形成されるハウジングユニットへ逃がせるバックライトユニット、およびそれを含む液晶表示装置を提供することにある。
【課題を解決するための手段】
【０００７】
バックライトユニットは、光源と、その光源を収容するハウジングユニットと、を含む。そして、そのバックライトユニットでは、ハウジングユニットは、ハウジングパネルが連なることで形成される。さらに、連なるハウジングパネル同士の間には、伝熱部材が介在する。
【０００８】
このようになっていると、光源の駆動熱が、その光源を収容するハウジングユニットの一部である１つのハウジングパネルに伝わった場合、駆動熱は、伝熱部材を介して、その他のハウジングパネルにまで伝わる。そのため、駆動熱が、１つのハウジングパネルのみに留まらない。その結果、駆動熱は複数のハウジングパネルに渡って逃げることになり、光源は劣化しない。
【０００９】
また、ハウジングユニットにて、少なくとも一方のハウジングパネルは、伝熱部材を囲む囲み部を含んでおり、その囲み部に含まれる一片が、伝熱部材に触れると望ましい。
【００１０】
このような囲み部がハウジングパネルに存在すると、その囲み部がハウジングパネル全体に対して、補強の役割を果たす。そのため、ハウジングパネル、ひいてはハウジングユニットの強度が増す。
【００１１】
なお、ハウジングユニットにて、両方のハウジングパネルが、伝熱部材を囲む囲み部を含んでいる場合、伝熱部材の全周囲がハウジング毎の囲み部に触れると望ましい。
【００１２】
このようになっていると、ハウジングユニットにて、一方のハウジングパネルから他方のハウジングパネルへの駆動熱が効率よく伝わる。
【００１３】
なお、囲み部の形成の仕方は、特に限定されるものではない。例えば、ハウジングパネルの折り曲げ、または湾曲で生じる囲み部が挙げられる。
【００１４】
また、伝熱部材の形状も特に限定されるものではない。例えば、伝熱部材がフィンを含んでいてもよい。
【００１５】
このようになっていれば、一方のハウジングパネルから伝熱部材に伝わる駆動熱が、他方のハウジングパネルに逃げるだけでなく、外部にまで逃げる（駆動熱が伝熱部材から放熱される）。
【００１６】
なお、以上のバックライトユニットと、そのバックライトユニットからの光を受光する液晶表示パネルと、を含む液晶表示装置も本発明といえる。
【発明の効果】
【００１７】
本発明によれば、光源の駆動熱が、連なったハウジングパネル全体に逃げる。そのため、光源が駆動熱によって劣化しない。
【発明を実施するための最良の形態】
【００１８】
実施の一形態について、図面に基づいて説明すれば、以下の通りである。なお、便宜上、ハッチングや部材符号等を省略する場合もあるが、かかる場合、他の図面を参照するものとする。また、図面上での黒丸は紙面に対し垂直方向を意味する。
【００１９】
図１１の分解斜視図は、液晶表示装置６９を示す。図１２は図１１に示される液晶表示装置６９に含まれるＬＥＤモジュールＭＪおよび導光体３１を主体的に示した分解斜視図である。
【００２０】
図１１に示すように、液晶表示装置６９は、液晶表示パネル５９、バックライトユニット４９、および、液晶表示パネル５９とバックライトユニット４９とを挟み込むハウジングＨＧを含む（なお、液晶表示パネル５９を覆うハウジングＨＧを表ハウジングＨＧ１、バックライトユニット４９を支えるハウジングＨＧを裏ハウジングＨＧ２と称する）。
【００２１】
液晶表示パネル５９は、ＴＦＴ（Thin Film Transistor）等のスイッチング素子を含むアクティブマトリックス基板５１と、このアクティブマトリックス基板５１に対向する対向基板５２とをシール材（不図示）で貼り合わせる。そして、両基板５１・５２の隙間に不図示の液晶が注入される（なお、アクティブマトリックス基板５１および対向基板５２を挟むように、偏光フィルム５３・５３が取り付けられてもよい）。
【００２２】
バックライトユニット４９は、非発光型の液晶表示パネル５９に対して光を照射する。つまり、液晶表示パネル５９は、バックライトユニット４９からの光（バックライト光）を受光することで表示機能を発揮する。そのため、バックライトユニット４９からの光が液晶表示パネル５９の全面を均一に照射できれば、液晶表示パネル５９の表示品位が向上する。
【００２３】
そして、このようなバックライトユニット４９は、ＬＥＤモジュールＭＪ、実装基板２５、導光体３１、拡散シート３３、および光学シート３４・３５を含む。
【００２４】
図１２の分解斜視図に示すように、ＬＥＤモジュールＭＪは、ＬＥＤ（Light Emitting Diode）２１と、実装基板２５とを含む。ＬＥＤ２１は、光を発する発光素子（光源）であり、実装基板２５は、ＬＥＤ２１を基板面に形成される電極（不図示）に実装させることで、不図示の電源からの電流をＬＥＤ２１に供給する。
【００２５】
なお、実装基板２５にて、電極を介してＬＥＤ２１を実装される基板面は実装面２５Ｕと称し、その実装面２５Ｕの裏基板面は非実装面２５Ｂと称される。また、光量確保のために、複数のＬＥＤ（点状光源）２１が実装基板２５に実装されるとよく、さらに、列状に並列していると望ましい。ただし、図面では便宜上、一部のＬＥＤ２１のみが示されているにすぎない（なお、以降では、ＬＥＤ２１の並ぶ方向を並び方向Ｐと称する）。
【００２６】
また、実装基板２５は、接続用ＦＰＣ（Flexible Printed Circuits）基板２６を介して、ＬＥＤ２１の制御用ドライバー（ＬＥＤドライバー２７；後述の図１３参照）を搭載したＬＥＤドライバー基板２８につながる。これにより、ＬＥＤドライバー２７の制御信号が、ＬＥＤドライバー基板２８、ＦＰＣ基板２６、実装基板２５を介して、ＬＥＤ２１に到達し、ＬＥＤ２１は制御信号によって発光制御される。
【００２７】
導光体３１は、自身に入射するＬＥＤ２１の光を多重反射（ミキシング）させて、外部に出射させる。この導光体３１は、図１２に示すように、光を受光する受光片３１Ｒと、この受光片３１Ｒにつながる出射片３１Ｓとを含む。
【００２８】
受光片３１Ｒは、板状部材であり、並び方向Ｐに沿う側壁の一部分に切欠（主切欠）ＫＣを有する。この切欠ＫＣは、自身の底ＫＣｂにＬＥＤ２１の発光面２１Ｌを対向させつつ、そのＬＥＤ２１を囲める程度のスペースを有する。そのため、この切欠ＫＣに収まるようにＬＥＤ２１が取り付けられると、切欠ＫＣの底ＫＣｂが導光体３１の受光面３１Ｒｓとなる。なお、受光片３１Ｒの側壁を挟む２面のうち、実装基板２５（ひいては裏ハウジングＨＧ２）側に向く面を底面３１Ｒｂ、その底面３１Ｒｂの反対面を天面３１Ｒｕとする。
【００２９】
出射片３１Ｓは、受光片３１Ｒに並ぶようにして連なり、受光面３１Ｒｓから入射する光の進行先に位置する板状部材である。この出射片３１Ｓは、受光片３１Ｒの底面３１Ｒｂと同一面（面一）となる底面３１Ｓｂを有する一方、受光片３１Ｒの天面３１Ｒｕに対して高くなる段差を生じさせる天面３１Ｓｕを有する。
【００３０】
さらに、出射片３１Ｓにおける天面３１Ｓｕと底面３１Ｓｂとは、平行ではなく、一方面が他方面に対して傾斜する。詳説すると、受光面３１Ｒｓからの光の進行先に進むにつれて、底面３１Ｓｂが天面３１Ｓｕに近づくように傾く。つまり、出射片３１Ｓは、受光面３１Ｒｓからの光の進行先に進むにつれて、厚み（天面３１Ｓｕと底面３１Ｓｂとの間隔）を徐々に薄くすることで、先細りする（なお、このような先細りした出射片３１Ｓを含む導光体３１は、くさび形の導光体３１とも称される）。
【００３１】
そして、このような受光片３１Ｒと出射片３１Ｓとを含む導光体３１は、受光面３１Ｒｓから光を受光し、その光を底面３１ｂ（３１Ｒｂ・３１Ｓｂ）と天面３１ｕ（３１Ｒｕ・３１Ｓｕ）との間でミキシングさせ、天面３１Ｓｕから外部に向けて出射させる（なお、天面３１Ｓｕから出射する光は面状光と称される）。
【００３２】
以上のような導光体３１は、実装基板２５にて一列（並び方向Ｐに沿って）に並ぶＬＥＤ２１に応じて一列に並ぶ。さらに、この一列になった導光体３１が、並び方向Ｐに対して交差する交差方向Ｑ（例えば、並び方向Ｐに対して直交する方向）に並ぶことで、導光体３１はマトリックス状に並ぶ。
【００３３】
特に、このように交差方向Ｑに沿って導光体３１が並ぶ場合、受光片３１Ｒの天面３１Ｒｕが出射片３１Ｓの底面３１Ｓｂを支え、集まる天面３１Ｓｕで同一面が完成する（天面３１Ｓｕが面一で集まる）。また、並び方向Ｐに沿って導光体３１が並ぶ場合でも、集まる天面３１Ｓｕで同一面が完成する。その結果、導光体３１の天面３１Ｓｕは、マトリックス状に並ぶことで、比較的大型な光出射面となる（このようなマトリックス状に並ぶ導光体３１をタンデム型導光体３１とも称する）。
【００３４】
拡散シート３３は、群がる導光体３１を覆うように位置し、それら導光体３１からの面状光を拡散させて、液晶表示パネル５９全域に光をいきわたらせている。その上、拡散シート３３はマトリックス状に並ぶ導光体３１の境目に生じる局所的な輝度低下を目立たなくさせる。なお、この拡散シート３３の材料は、特に限定されず、樹脂であってもガラスであってもかまわない。
【００３５】
光学シート３４・３５は、例えばシート面内にプリズム形状を有し、光の放射特性を偏光させる光学シートであり、拡散シート３３を覆うように位置する。そのため、この光学シート３４・３５は、拡散シート３３から進行してくる光を集光させ、輝度を向上させる。なお、光学シート３４と光学シート３５とによって集光される各光の発散方向は交差する関係にある。また、拡散シート３３と光学シート３４・３５とを、まとめて光学シート群３６とも称する。
【００３６】
裏ハウジングＨＧ２は、以上のＬＥＤモジュールＭＪ、導光体３１、拡散シート３３、光学シート３４・３５を収容する収容体である。詳説すると、裏ハウジングＨＧ２は、マトリックス状に並ぶ導光体３１の天面３１Ｓｕに、拡散シート３３、光学シート３４・３５を重ねて収容する。そこで、この積み重なる方向を重なり方向Ｒと称する（なお、並び方向Ｐ、交差方向Ｑ、重なり方向Ｒは、互いに直交する関係であってもよい）。また、この裏ハウジングＨＧ２は、バックライトユニット４９となる種々部材を収容する点から、バックライトユニット４９の一部品ともいえる。
【００３７】
なお、図１１に示すように、裏ハウジングＨＧ２には、引き出し開孔ＨＬが形成され、さらに、図１３示すように、裏ハウジングＨＧ２の背面には、ＬＥＤドライバー２７を実装するＬＥＤドライバー基板２８が取り付けられる。そして、実装基板２５につなげられたＦＰＣ基板２６は、引き出し開孔ＨＬを通じて、裏ハウジングＨＧ２の背面に進出し、ＬＥＤドライバー基板２８につながる。なお、この裏ハウジングＨＧ２の形状についての詳細は後述する。
【００３８】
表ハウジングＨＧ１は、枠状部材であり、バックライトユニット４９に重なる液晶表示パネル５９を押さえ付けつつ、裏ハウジングＨＧ２に覆い被さる。そして、この表ハウジングＨＧ１は、裏ハウジングＨＧ２に固定される（なお、固定の仕方は限定されるものではない）。すると、表ハウジングＨＧ１は、バックライトユニット４９と液晶表示パネル５９とを裏ハウジングＨＧ２とともに挟み込むことになり、液晶表示装置６９が完成する。
【００３９】
そして、以上のような液晶表示装置６９では、バックライトユニット４９におけるＬＥＤ２１からの光が、導光体３１によって面状光になって出射し、その面状光が光学シート群３６を通過することで発光輝度を高めたバックライト光になって出射する。さらに、このバックライト光は、液晶表示パネル５９に到達し、そのバックライト光によって、液晶表示パネル５９は画像を表示させる。
【００４０】
ここで、裏ハウジングＨＧ２について、図１〜図３を用いて詳説する。図１は、図１１に示される裏ハウジングＨＧ２の一部を拡大した斜視図であり、図２は図１に示される裏ハウジングＨＧ２の側面図である。また、図３は裏ハウジングＨＧ２の分解斜視図である。
【００４１】
裏ハウジングＨＧ２は、図３に示すように、複数のハウジングパネル１１が集まって一体化したものである（したがって、裏ハウジングＨＧ２はハウジングユニットとも称せる）。すなわち、複数のハウジングパネル１１が連なることで、裏ハウジングＨＧ２は完成する。
【００４２】
そして、連なるハウジングパネル１１同士は、例えば、柱状の伝熱部材１５を介在させる。伝熱部材１５は、ハウジングパネル１１の材料と同程度の熱伝導率、あるいは、それ以上の熱伝導率を有する材料で形成されていれば、特に限定されるものではない。例えば、伝熱部材１５の材料は、金属であっても、樹脂であってもかまわない。
【００４３】
そして、この伝熱部材１５を介在させるために、ハウジングパネル１１の形状は種々考えられる。例えば、図１〜図３に示すように、連なるハウジングパネル１１（１１Ａ・１１Ｂ）の一方であるハウジングパネル１１Ａが平板状である。しかし、他方のハウジングパネル１１Ｂの一部分は、柱状の伝熱部材１５を囲む囲み部ＳＤとなる。
【００４４】
詳説すると、図１および図２に示すように、ハウジングパネル１１Ｂにおける２本の平行な折り曲げ線Ｌ１・Ｌ２に沿って、そのハウジングパネル１１Ｂが曲げられる。具体的には、折り曲げ線Ｌ１に沿って曲がるハウジングパネル１１Ｂの折り曲げ方向（山折り方向）と、折り曲げ線Ｌ２に沿って曲がるハウジングパネル１１Ｂの折り曲げ方向（谷折り方向）とが相違することで、折り曲げ線Ｌ（Ｌ１・Ｌ２）に挟まれる部分１１Ｂｓが、そのハウジングパネル１１Ｂの大部分を占める面部分１１Ｂｆに対して立ち上がる。
【００４５】
さらに、この立ち上げ部分１１Ｂｓにつながるハウジングパネル１１Ｂの縁側の部分（端部分）１１Ｂｅは、面部分１１Ｂｆに対して乖離するものの、面内方向を面部分１１Ｂｆの面内方向に近づける。その結果、立ち上がり部分１１Ｂｓと端部分１１Ｂｅとで形成されるＬ状の囲み部ＳＤが、ハウジングパネル１１の端に生じる。
【００４６】
このようになっていると、立ち上がり部分（囲み部ＳＤの一片）１１Ｂｓと端部分（囲み部ＳＤの一片）１１Ｂｅとで伝熱部材１５の周囲の一部を囲める。さらに、一方のハウジングパネル１１Ａの面部分１１Ａｆと、他方のハウジングパネル１１Ｂの面部分１１Ｂｆとが、面一（同一面の面内方向）になり、端部分１１Ｂｅと面部分１１Ａｆとが向かい合うと、面部分１１Ａｆ、立ち上がり部分１１Ｂｓ、および端部分１１Ｂｅとで囲まれる空間が生じる。すると、その空間に、伝熱部材１５が収まることになる。
【００４７】
そして、このように伝熱部材１５を挟み込んだ状態で、ハウジングパネル１１Ａとハウジングパネル１１Ｂとが連なる（ただし、この連なり方は、特に限定されるものではない）。
【００４８】
このようになっていると、裏ハウジングＨＧ２がＬＥＤモジュールＭＪ（ひいてはＬＥＤ２１）を収容し、ハウジングパネル１１が実装基板２５を介して、ＬＥＤ２１を保持する。そして、ＬＥＤ２１の駆動熱が、ＬＥＤ２１自身から実装基板２５、さらには実装基板２５からハウジングパネル１１へ逃げようとする場合に、以下のような望ましい放熱現象が生じる。
【００４９】
すなわち、ハウジングパネル１１（１１Ａ・１１Ｂ）同士が伝熱部材１５を介して連なっていると、駆動熱を放熱するハウジングパネル１１の面積が増大することになるので、駆動熱がＬＥＤ２１および実装基板２５から確実に逃げる。例えば、図２に示すように、ハウジングパネル１１Ａから伝熱部材１５を介してハウジングパネル１１Ｂへと、駆動熱が逃げる（破線矢印参照）。その結果、ＬＥＤ２１が駆動熱によって劣化せず、長時間動作可能になる。また、実装基板２５に留まる駆動熱に起因して、その実装基板２５が劣化することも起きない。
【００５０】
その上、連なるハウジングパネル１１Ａ・１１Ｂにおいて、各ハウジングパネル１１Ａ（１１Ｂ）に対応するＬＥＤ２１がともに劣化しないため、ＬＥＤ２１間で輝度差が生じない。そのため、バックライトユニット５９の光に輝度ムラが生じない。
【００５１】
なお、以上のような好ましい放熱現象は、図１および図２に示されるようなハウジングパネル１１Ａ・１１Ｂに限って起きるわけではない。例えば、図４に示される裏ハウジングＨＧ２の側面図（図２の別例図）に示されるように、ハウジングパネル１１Ａにおいても、面部分１１Ａｆから立ち上がる立ち上がり部分１１Ａｓが生じ、その面部分１１Ａｆと立ち上がり部分１１Ａｓとで、柱状の伝熱部材１５を囲んでもよい（要は、面部分１１Ａｆと立ち上がり部分１１Ａｓとが囲み部分ＳＤとなる）。その上、その立ち上がり部分１１Ａｓがハウジングパネル１１Ｂ（例えば、縁部分１１Ｂｅ）に接触するとさらによい。
【００５２】
このようになっていると、ハウジングパネル１１Ａから伝わる駆動熱は、伝熱部材１５を介して、ハウジングパネル１１Ｂに逃げる（図４の破線矢印参照）。さらに、ハウジングパネル１１Ａの立ち上がり部分１１Ａｓとハウジングパネル１１Ｂの縁部分１１Ｂｅとの接触によって、直接、ハウジングパネル１１Ａからハウジングパネル１１Ｂへと駆動熱が逃げる（図４の破線矢印参照）。
【００５３】
つまり、ハウジングパネル１１Ａからハウジングパネル１１Ｂへの放熱経路が２つになる。そのため、ハウジングパネル１１Ａからハウジングパネル１１Ｂへの駆動熱の伝達速度が速まり、一層、ＬＥＤ２１および実装基板２５の劣化が防がれる。
【００５４】
また、図５の側面図（図２および図４の別例図）に示されるような裏ハウジングＨＧ２であってもよい。すなわち、ハウジングパネル１１Ｂが、縁部分１１Ｂｅの端から垂れ下がる部分（垂れ下がり部分）１１Ｂｄを含んでもよい。
【００５５】
このようになっていると、立ち上がり部分１１Ｂｓ、縁部分１１Ｂｅ、および垂れ下がり部分１１Ｂｄとで、柱状の伝熱部材１５が囲める（要は、立ち上がり部分１１Ｂｓ、縁部分１１Ｂｅ、および垂れ下がり部分１１Ｂｄが囲み部ＳＤとなる）。そして、この垂れ下げ部分１１Ｂｄが、ハウジングパネル１１Ａ（例えば、面部分１１Ａｆ）に接触するとよい。
【００５６】
このようになっていると、図４に示される裏ハウジングＨＧ２同様に、ハウジングパネル１１Ａから伝わる駆動熱は、伝熱部材１５を介して、ハウジングパネル１１Ｂに逃げ、さらに、ハウジングパネル１１Ａの立ち上がり部分１１Ａｓとハウジングパネル１１Ｂの縁部分１１Ｂｅとの接触によって、直接、ハウジングパネル１１Ａからハウジングパネル１１Ｂへと駆動熱が逃げる。その上、ハウジングパネル１１Ａの面部分１１Ａｆとハウジングパネル１１Ｂの垂れ下げ部分１１Ｂｄとの接触によって、直接、ハウジングパネル１１Ａからハウジングパネル１１Ｂへと駆動熱が逃げる。
【００５７】
つまり、ハウジングパネル１１Ａからハウジングパネル１１Ｂへの放熱経路が３つになる。そのため、ハウジングパネル１１Ａからハウジングパネル１１Ｂへの駆動熱の伝達速度が速まり、より一層、ＬＥＤ２１および実装基板２５の劣化が防がれる。
【００５８】
なお、以上では、図２に示すように、伝熱部材１５とハウジングパネル１１Ｂの立ち上がり部分１１Ｂｓとの間に隙間が存在した。また、図４に示すように、伝熱部材１５とハウジングパネル１１Ａの立ち上がり部分１１Ａｓとの間に隙間が存在した。また、図５に示すように、伝熱部材１５とハウジングパネル１１Ｂの垂れ下がり部分１１Ｂｄとの間、および、伝熱部材１５とハウジングパネル１１Ａの立ち上がり部分１１Ａｓとの間に隙間が存在した。
【００５９】
しかし、これらの隙間が無くてもよい。要は、伝熱部材１５と、その伝熱部材１５を囲む囲み部ＳＤの一片（例えば、立ち上がり部分１１Ａｓ・１１Ｂｓ、面部分１１Ａｆ・１１Ｂｆ、縁部分１１Ｂｅ、または、垂れ下がり部分１１Ａｄ）とが密着してもよい。
【００６０】
このようになっていると、例えば図６の裏ハウジングＨＧ２の場合、ハウジングパネル１１Ｂにおける縁部分１１Ｂｅおよび垂れ下がり部分１１Ｂｄと、ハウジングパネル１１Ａの面部分１１Ａｆおよび立ち上がり部分１１Ａｓとで、柱状の伝熱部材１５の全周囲が接触する。そのため、ハウジングパネル１１Ａから逃げてくる熱が、効率よく伝熱部材１５を介して、ハウジングパネル１１Ｂへ逃げる。
【００６１】
なお、以上では、伝熱部材１５を介して、ハウジングパネル１１Ａからハウジングパネル１１Ｂへの駆動熱の伝わりを例に挙げたが、これに限定されるものではない。すなわち、伝熱部材１５を介して、ハウジングパネル１１Ｂからハウジングパネル１１Ａへ、駆動熱が伝わることも当然あり得る。
【００６２】
［その他の実施の形態］
ところで、本発明は上記の実施の形態に限定されず、本発明の趣旨を逸脱しない範囲で、種々の変更が可能である。
【００６３】
例えば、ハウジングパネル１１にて、伝熱部材１５を囲む囲み部ＳＤの形成の仕方は、特に限定されない。一例としては、囲み部ＳＤは、図１〜図６に示されるように、折り曲げ線Ｌ（Ｌ１〜Ｌ３、Ｌ１１）に沿うハウジングパネル１１の折り曲げにより生じていた。しかし、これに限定されることなく、図７および図８に示すように、ハウジングパネル１１の湾曲により、囲み部ＳＤが生じてもよい（なお、図７は図１の別例図であり、図８は図７の側面図である）。
【００６４】
このようなハウジングパネル１１の折り曲げおよび湾曲で、囲み部ＳＤが形成されていたとしても、その囲み部ＳＤを含むハウジングパネル１１Ｂの強度は、囲み部ＳＤを含まない平板のようなハウジングパネル１１Ａ（図１および図７参照）の強度に比べて向上する。なぜなら、囲み部ＳＤがハウジングパネル１１Ｂ全体に対して、補強の役割を果たすためである。
【００６５】
なお、囲み部ＳＤを形成するために生じる折り曲げ線Ｌの本数は、特に限定されるものではない。例えば、図４に示されるハウジングパネル１１Ａのように、１本の折り曲げ線Ｌ１１が存在してもよいし、図１および図２に示されるハウジングパネル１１Ｂのように、並列する２本の折り曲げ線Ｌ１・Ｌ２が存在してもよい。また、図５に示されるハウジングパネル１１Ｂのように、並列する３本の折り曲げ線Ｌ１〜Ｌ３が存在してもよい。
【００６６】
要は、伝熱部材１５を囲める囲み部ＳＤが形成されるのであれば、ハウジングパネル１１における折り曲げ線Ｌの本数は何本であってもかまわない。ただし、折り曲げ線Ｌの本数が多いと、囲み部ＳＤの強度が安定し、その強度向上にともなって、ハウジングパネル１１の強度も増加する。
【００６７】
また、伝熱部材１５の形状も、特に限定されるものではない。例えば、図９および図１０に示すような伝熱部材１５であってもかまわない（なお、図９は図２の別例図であり、図１０は伝熱部材１５のみを示す斜視図である）。
【００６８】
すなわち、伝熱部材１５がフィン（ヒートシンク構造）ＦＮを含んでいてもよい。このようなフィンＦＮが含まれていると、伝熱部材１５における外気に触れる面積が増す。そのため、この伝熱部材１５を通じて外部に、ＬＥＤ２１の駆動熱が逃げやすくなる。（すなわち、伝熱部材１５自体が放熱部材としての役割を果たす）。特に、伝熱部材１５が自身の温度よりも低い環境下にさらされると、確実に、ＬＥＤ２１の駆動熱が伝熱部材１５を通じて外部に逃げやすくなる。
【００６９】
その結果、ＬＥＤ２１の駆動熱は、連なるハウジングパネル１１Ａ・１１Ｂに逃げるだけでなく、外部にも逃げ、より確実に、ＬＥＤ２１および実装基板２５の劣化が防がれる。
【００７０】
また、伝熱部材１５を介したハウジングパネル１１同士の連なり方は、特に限定されるものではない。例えば、連なり方は、ネジ等の固定部材を用いた締結であってもよいし、接着剤を用いた接着であってもよい。また、伝熱部材１５が金属で、ハウジングパネル１１も金属であれば、溶接による接合でハウジングパネル１１同士が連なってもかまわない。
【００７１】
ただし、伝熱部材１５が金属であると、樹脂よりも高強度のため、裏ハウジングＨＧ２全体が高強度になる。そのため、この裏ハウジングＨＧ２にスタンド等の部材が、直接、取付可能になる。すると、このような裏ハウジングＨＧ２を含むバックライトユニット４９を搭載する液晶表示装置６９は、スタンド等を取り付けるためのフレーム等を省略できる（要は、液晶表示装置６９の部材が減る）。
【００７２】
また、複数のハウジングパネル１１の連なった裏ハウジングＨＧ２に、くさび型の導光体３１がマトリックス状に並んで収容される。すると、導光体３１と裏ハウジングＨＧ２との間に隙間が生じる。そこで、この隙間を埋めるような部分を裏ハウジングＨＧ２が有してもよい。なぜなら、裏ハウジングＨＧ２は、安定的に導光体３１を収容できるためである。
【００７３】
また、以上では、光源として、ＬＥＤ２１が例として挙げられ、ＬＥＤ２１は裏ハウジングＨＧ２に収容されていた。しかし、これに限定されるものではない。例えば、蛍光管のような線状光源が、裏ハウジングＨＧ２に収容されていてもかまわない。このような蛍光管を収容する裏ハウジングＨＧ２であっても、ハウジングパネル１１同士が伝熱部材１５を介在させていれば、蛍光管の駆動熱は、連なるハウジングパネル１１（伝熱部材１５を介して間接接触するハウジングパネル１１同士）に逃げるためである。
【００７４】
また、以上では、好ましい実施形態として、導光体（導光板）３１を用いた、いわゆるサイドライト方式のバックライトユニット４９が挙げられている。しかし、別段、この方式のバックライトユニット４９に限定されるものではない。例えば、直下式バックライトユニットにおいても、以上の裏ハウジングＨＧ２は適用可能である。
【図面の簡単な説明】
【００７５】
【図１】は、図１１に示される裏ハウジングの一部を拡大した斜視図である。
【図２】は、図２に示される裏ハウジングの側面図である。
【図３】は、裏ハウジングの分解斜視図である。
【図４】は、図２に示される裏ハウジングの別例を示す側面図である。
【図５】は、図２および図４に示される裏ハウジングの別例を示す側面図である。
【図６】は、図２、図４、および図５に示される裏ハウジングの別例を示す側面図である。
【図７】は、図１に示される裏ハウジングの別例を示す斜視図である。
【図８】は、図２、図４〜図６に示される裏ハウジングの別例を示す側面図である。
【図９】は、図２、図４〜図６、図８に示される裏ハウジングの別例を示す側面図である。
【図１０】は、図９に示される伝熱部材の斜視図である。
【図１１】は、液晶表示装置の分解斜視図である。
【図１２】は、図１１に示される液晶表示装置に含まれるＬＥＤモジュールおよび導光体を主体的に示した分解斜視図である。
【図１３】は、裏ハウジングの背面を示す斜視図である。
【符号の説明】
【００７６】
１１        ハウジングパネル
ＳＤ        囲み部
１１Ａ      連なるハウジングパネルの１つ
１１Ａｆ    ハウジングパネルの面部分（囲み部ＳＤの一片）
１１Ａｓ    ハウジングパネルの立ち上がり部分（囲み部ＳＤの一片）
１１Ｂ      連なるハウジングパネルの１つ
１１Ｂｆ    ハウジングパネルの面部分（囲み部ＳＤの一片）
１１Ｂｓ    ハウジングパネルの立ち上がり部分（囲み部ＳＤの一片）
１１Ｂｅ    ハウジングパネルの縁部分（囲み部ＳＤの一片）
１１Ｂｄ    ハウジングパネルの垂れ下がり部分（囲み部ＳＤの一片）
Ｌ          折り曲げ線
ＨＧ２      裏ハウジング（ハウジングユニット）
ＨＧ１      表ハウジング
１５        伝熱部材
ＦＮ        伝熱部材におけるフィン
２１        ＬＥＤ（光源）
２５        実装基板
３１        導光体
４９        バックライトユニット
５９        液晶表示パネル
６９        液晶表示装置
【図１】
2010009757.tif 000003
【図２】
2010009757.tif 000004
【図３】
2010009757.tif 000005
【図４】
2010009757.tif 000006
【図５】
2010009757.tif 000007
【図６】
2010009757.tif 000008
【図７】
2010009757.tif 000009
【図８】
2010009757.tif 000010
【図９】
2010009757.tif 000011
【図１０】
2010009757.tif 000012
【図１１】
2010009757.tif 000013
【図１２】
2010009757.tif 000014
【図１３】
2010009757.tif 000015